(57)【要約】      （修正有）【課題】操作ボタンをカスタマイズした表示画面の表示画面データの生成を、当該生成作業を担当する作業者が簡単な操作で行えるようにする。【解決手段】ジョブ情報取得部３１０２が、複合機１で実行されたジョブ及び当該ジョブに用いられた設定値を複合機１から取得し、画像選択指示受付部３１０１が、操作用画像記憶部３１０７に記憶された操作用画像の中から、上記作業者による操作用画像の指定を受け付けると、表示対象パーツ構築部３１０４が、画像選択指示受付部３１０１によって受け付けられた操作用画像と、ジョブ情報取得部３１０２で取得されたジョブ情報とを関連付ける。アプリケーション生成部３１００は、当該関連付けられた操作用画像及びジョブ情報を含む表示画面の表示画面データを有する動作制御アプリケーションを生成する。【選択図】図１
2013030117.tif 000002
【特許請求の範囲】
【請求項１】
電子機器の表示部に表示される表示画面内の操作用画像に対するユーザーの操作に応じた動作制御を行う動作制御アプリケーションを生成する情報処理装置であって、
前記電子機器で実行されたジョブと、当該ジョブの実行に用いられた設定値とを含むジョブ情報を当該電子機器から取得するジョブ情報取得部と、
前記表示部の表示画面に表示させる操作用画像を記憶する操作用画像記憶部と、
前記操作用画像記憶部に記憶された操作用画像の中から、当該動作制御アプリケーション生成の作業を行う作業者による操作用画像の指定を受け付ける画像受付部と、
前記画像受付部によって受け付けられた操作用画像と、前記ジョブ情報取得部で取得されたジョブ情報とを関連付ける関連付部と、
前記関連付部によって関連付けられた前記操作用画像及び前記ジョブ情報を含む前記表示画面の表示画面データを有する動作制御アプリケーションを生成する動作制御アプリケーション生成部と
を備える情報処理装置。
【請求項２】
前記ジョブ情報取得部によって取得された前記ジョブ情報に含まれる前記設定値を変更する指示を作業者から受け付ける設定値変更受付部を更に備え、
前記関連付部は、前記ジョブ情報取得部で取得された前記ジョブと、前記設定値変更受付部に受け付けられた変更指示により変更された設定値とを含むジョブ情報に、前記画像受付部によって受け付けられた操作用画像を関連付ける請求項１に記載の情報処理装置。
【請求項３】
請求項１又は請求項２に記載の情報処理装置と、当該情報処理装置に接続された前記電子機器とを備えるアプリケーション生成システムであって、
前記電子機器は、
前記情報処理装置から送信されてくる前記ジョブ情報送信を要求するジョブ情報要求信号を受信する受信部と、
当該電子機器で実行可能なジョブと、当該ジョブの実行時に用いられた設定値とを含むジョブ情報を記憶するジョブ情報記憶部と、
前記受信部によって受信された前記ジョブ情報要求信号に従って、前記ジョブ情報記憶部に記憶されているジョブ情報を、当該ジョブ情報要求信号を送信してきた前記情報処理装置に送信する送信部と
を備えるアプリケーション生成システム。
【請求項４】
電子機器の表示部に表示される表示画面内の操作用画像に対するユーザーの操作に応じた動作制御を行う動作制御アプリケーションを生成するアプリケーション生成プログラムであって、
当該情報処理装置を、
前記電子機器で実行されたジョブと、当該ジョブの実行に用いられた設定値とを含むジョブ情報を当該電子機器から取得するジョブ情報取得部と、
前記表示部の表示画面に表示させる操作用画像を記憶する操作用画像記憶部と、
前記操作用画像記憶部に記憶された操作用画像の中から、当該動作制御アプリケーション生成の作業を行う作業者による操作用画像の指定を受け付ける画像受付部と、
前記画像受付部によって受け付けられた操作用画像と、前記ジョブ情報取得部で取得されたジョブ情報とを関連付ける関連付部と、
前記関連付部によって関連付けられた前記操作用画像及び前記ジョブ情報を含む前記表示画面の表示画面データを有する動作制御アプリケーションを生成する動作制御アプリケーション生成部と
して機能させるアプリケーション生成プログラム。
【発明の詳細な説明】
【技術分野】
【０００１】
本発明は、情報処理装置、アプリケーション生成システム、及びアプリケーション生成プログラムに関し、特に、電子機器に備えられる表示部の表示画面に含まれる操作用画像に基づくユーザーによる操作に応じた当該電子機器の動作制御を可能にする動作制御アプリケーションを生成する技術に関する。
【背景技術】
【０００２】
従来から、ユーザーからの指示を受け付けて、当該指示が示す動作等を行う画像形成装置等の電子機器では、装置前面の操作パネルにＬＣＤ（Liquid Crystal Display）等からなる表示部が設けられ、当該表示部に配設されたタッチパネル機能により、表示部に表示される表示画面内の各操作ボタンに対応する動作実行指示をユーザーから受け付ける技術が採用されている（下記特許文献１，２参照）。
【先行技術文献】
【特許文献】
【０００３】
【特許文献１】特開２００７−２４９５１１号公報
【特許文献２】特開２００７−２３２９０８号公報
【発明の概要】
【発明が解決しようとする課題】
【０００４】
上記従来の画像形成装置は、当該画像形成装置内に表示用データが記憶されている表示画面を表示部に表示させるものに過ぎない。すなわち、上記従来の画像形成装置では、操作ボタン及びそのレイアウト等をカスタマイズした表示画面の作成までを可能にすることは実現されていない。さらには、表示画面の操作ボタン及びそのレイアウト等をカスタマイズする際の操作は、表示画面のカスタマイズ作業を担当する作業者にとって簡単であることが望ましい。
【０００５】
本発明は、上記の問題を解決するためになされたものであり、操作ボタンをカスタマイズした上記表示画面の表示画面データの生成を、当該生成作業を担当する作業者が簡単な操作で行えるようにすることを目的とする。
【課題を解決するための手段】
【０００６】
請求項１に記載の発明は、電子機器の表示部に表示される表示画面内の操作用画像に対するユーザーの操作に応じた動作制御を行う動作制御アプリケーションを生成する情報処理装置であって、
前記電子機器で実行されたジョブと、当該ジョブの実行に用いられた設定値とを含むジョブ情報を当該電子機器から取得するジョブ情報取得部と、
前記表示部の表示画面に表示させる操作用画像を記憶する操作用画像記憶部と、
前記操作用画像記憶部に記憶された操作用画像の中から、当該動作制御アプリケーション生成の作業を行う作業者による操作用画像の指定を受け付ける画像受付部と、
前記画像受付部によって受け付けられた操作用画像と、前記ジョブ情報取得部で取得されたジョブ情報とを関連付ける関連付部と、
前記関連付部によって関連付けられた前記操作用画像及び前記ジョブ情報を含む前記表示画面の表示画面データを有する動作制御アプリケーションを生成する動作制御アプリケーション生成部と
を備える情報処理装置である。
【０００７】
また、請求項３に記載の発明は、請求項１又は請求項２に記載の情報処理装置と、当該情報処理装置に接続された前記電子機器とを備えるアプリケーション生成システムであって、
前記電子機器は、
前記情報処理装置から送信されてくる前記ジョブ情報送信を要求するジョブ情報要求信号を受信する受信部と、
当該電子機器で実行可能なジョブと、当該ジョブの実行時に用いられた設定値とを含むジョブ情報を記憶するジョブ情報記憶部と、
前記受信部によって受信された前記ジョブ情報要求信号に従って、前記ジョブ情報記憶部に記憶されているジョブ情報を、当該ジョブ情報要求信号を送信してきた前記情報処理装置に送信する送信部と
を備えるアプリケーション生成システムである。
【０００８】
また、請求項４に記載の発明は、電子機器の表示部に表示される表示画面内の操作用画像に対するユーザーの操作に応じた動作制御を行う動作制御アプリケーションを生成するアプリケーション生成プログラムであって、
当該情報処理装置を、
前記電子機器で実行されたジョブと、当該ジョブの実行に用いられた設定値とを含むジョブ情報を当該電子機器から取得するジョブ情報取得部と、
前記表示部の表示画面に表示させる操作用画像を記憶する操作用画像記憶部と、
前記操作用画像記憶部に記憶された操作用画像の中から、当該動作制御アプリケーション生成の作業を行う作業者による操作用画像の指定を受け付ける画像受付部と、
前記画像受付部によって受け付けられた操作用画像と、前記ジョブ情報取得部で取得されたジョブ情報とを関連付ける関連付部と、
前記関連付部によって関連付けられた前記操作用画像及び前記ジョブ情報を含む前記表示画面の表示画面データを有する動作制御アプリケーションを生成する動作制御アプリケーション生成部と
して機能させるアプリケーション生成プログラムである。
【０００９】
これらの発明によれば、ジョブ情報取得部が、電子機器で実行されたジョブ及び当該ジョブの実行に用いられた設定値を含むジョブ情報を当該電子機器から取得し、画像受付部が、操作用画像記憶部に記憶された操作用画像の中から、上記作業者による操作用画像の指定を受け付けると、関連付部が、画像受付部によって受け付けられた操作用画像と、ジョブ情報取得部で取得されたジョブ情報とを関連付け、動作制御アプリケーション生成部は、当該関連付けられた操作用画像及びジョブ情報を含む表示画面の表示画面データを有する動作制御アプリケーションを生成する。ここで、ジョブとは、電子機器が処理する仕事（機能の実行）の単位であって、当該仕事として電子機器の機能が実行される毎に発生する。また、ジョブの設定値とは、例えば、コピー動作の場合、当該コピー動作に用いられたコピー枚数、用紙サイズ、印刷濃度、印刷レイアウト設定等であり、例えば、スキャナ動作の場合、解像度、読取データの保存先等である。
【００１０】
このため、作業者は、上記電子機器で実行されたジョブを過去に用いた設定値で実行する指示の受付等を担当する操作ボタン等としての操作用画像を当該情報処理装置で作成するとき、当該情報処理装置側においては、上記ジョブを特定する作業やジョブの設定値を入力する作業を行わなくても、電子機器に既に蓄積されているジョブ及び当該ジョブの設定値を用いて、操作用画像に当該ジョブ及びその設定値をジョブ情報として関連付けて表示画面の表示画面データを作成することができる。このため、本発明によれば、作業者は、操作ボタン等としての操作用画像と、ジョブ及びその設定値との関連付けを簡単に行え、所望通りにカスタマイズした表示画面の生成を簡単な操作で行える。
【００１１】
また、請求項２に記載の発明は、請求項１に記載の情報処理装置であって、前記ジョブ情報取得部によって取得された前記ジョブ情報に含まれる前記設定値を変更する指示を作業者から受け付ける設定値変更受付部を更に備え、
前記関連付部は、前記ジョブ情報取得部で取得された前記ジョブと、前記設定値変更受付部に受け付けられた変更指示により変更された設定値とを含むジョブ情報に、前記画像受付部によって受け付けられた操作用画像を関連付けるものである。
【００１２】
この発明によれば、関連付部は、設定値変更受付部に受け付けられた変更指示により変更された設定値及び当該設定値が用いられる前記ジョブを含むジョブ情報と、前記画像受付部によって受け付けられた操作用画像とを関連付けるので、作業者は、ジョブ情報取得部に取得されたジョブの設定値を所望の値に変更した上で、当該ジョブ及びその設定値を操作用画像に関連付けることが簡単な操作で可能になる。
【発明の効果】
【００１３】
本発明によれば、操作ボタンをカスタマイズした上記表示画面の表示画面データの生成を、当該生成作業を担当する作業者が簡単な操作で行うことができる。
【図面の簡単な説明】
【００１４】
【図１】動作制御アプリケーション生成システムを構成するパーソナルコンピュータ及び複合機の概略構成を示す図である。
【図２】ＰＣによる動作制御アプリケーション作成時の処理を示す図である。
【図３】ＰＣ及び複合機についてのシーケンス図である。
【図４】ＰＣが備える表示部の表示画面の一例である。
【図５】ＰＣが備える表示部の表示画面の一例である。
【図６】ＰＣが備える表示部の表示画面の一例である。
【図７】複合機における上記生成された動作制御アプリケーションに基づく表示画面の表示部での表示処理、ユーザーからの動作実行指示の受付処理、及び複合機の動作制御を示すフローチャートである。
【図８】複合機についてのシーケンス図である。
【発明を実施するための形態】
【００１５】
以下、本発明の一実施形態に係る情報処理装置、動作制御アプリケーション生成システム、及び動作制御アプリケーション生成プログラムについて図面を参照して説明する。
【００１６】
図１は動作制御アプリケーション生成システムを構成するパーソナルコンピュータ及び複合機の概略構成を示す図である。動作制御アプリケーション生成システム１０は、電子機器の一例としての複合機１と、情報処理装置の一例としてのパーソナルコンピュータ（以下、ＰＣ）３とで構成される。
【００１７】
複合機１は、コピー機能、ファクシミリ機能、プリンタ機能、スキャナ機能等の機能を兼ね備えている。複合機１には、ユーザーから複合機１について操作指示を受け付ける操作部５００を有し、この操作部５００には、ＬＣＤ（Liquid Crystal Display）等からなる表示部５０が備えられている。
【００１８】
また、ＰＣ３は、複合機１における表示部５０の表示制御及び複合機１の動作制御に供する動作制御アプリケーションを生成する動作制御アプリケーション生成プログラムがインストールされている。この動作制御アプリケーション生成プログラムは、本発明の一実施形態でもある。ＰＣ３は、複合機１から、ＬＡＮ（Local Area Network）又はUSBメモリー等を介して、複合機１において実行されたジョブ及び当該ジョブで用いられた設定値を取得し、動作制御アプリケーションの生成に用いることが可能となるように、当該ジョブ及び当該ジョブで用いられた設定値をジョブ情報として記憶する。ここで、当該ジョブは、電子機器が処理する仕事（機能の実行）の単位であって、当該仕事として電子機器の機能が実行される毎に発生する。当該機能としては、例えば、複合機１で実行可能なスキャン動作、プリント動作、コピー動作、ファクシミリ動作、これら各動作についての動作設定、表示部５０の表示画面切換制御、複合機１のユーザーによって入力されたユーザー識別情報（ユーザーID等）の認証等の各種動作等である。また、ジョブの設定値とは、例えば、コピー動作が行われる場合、当該コピー動作に用いられたコピー枚数、用紙サイズ、印刷濃度、印刷レイアウト設定等であり、例えば、スキャナ動作の場合、解像度、読取データの保存先等である。
【００１９】
複合機１は、ＰＣ３から、ＬＡＮ（Local AreaNetwork）又はUSBメモリー等を介して上記動作制御アプリケーションを受け取って記憶（インストール）し、当該動作制御アプリケーションに基づいて、表示部５０による画面表示を制御し、当該表示画面に表示された操作ボタンに基づくユーザーによる操作で入力される指示に従って動作制御を行う。
【００２０】
ＰＣ３は、制御部３１０を備えている。制御部３１０は、ＣＰＵ等からなり、ＰＣ３１の全体的な動作制御を司ると共に、記憶部３１２に記憶されている上記動作制御アプリケーション生成プログラムに従って動作することで、アプリケーション生成部３１００として機能し、以下に示す各部として機能する。アプリケーション生成部３１００は、複合機１の表示部５０に表示させる表示画面の表示画面データを、例えばXML（Extensible Markup Language）形式のデータで生成し、当該表示画面データを含んで複合機１の動作制御に供する動作制御プログラムを生成するツールである。アプリケーション生成部３１００は、当該表示画面を構成する各種操作ボタン等としての各操作用画像のカスタマイズを行う指示を作業者から受け付けて表示画面を生成する処理、及び、当該表示画面のデータ（以下、表示画面データという）を含んだ動作制御プログラムの生成処理を開始する。ここで、操作用画像とは、ユーザーからの指示を受け付けるために複合機１における表示部５０の表示画面に操作ボタン等として表示させる画像である。
【００２１】
アプリケーション生成部３１００は、画像選択指示受付部３１０１、ジョブ情報取得部３１０２、ジョブ情報受付部３１０３、表示対象パーツ構築部３１０４、レイアウト指示受付部３１０５、動作制御アプリケーション生成部３１０６、操作用画像記憶部３１０７、及びジョブ情報記憶部３１０８として機能する。なお、後述するように、アプリケーション生成部３１００は、更に設定値変更受付部３１０９として機能してもよい。
【００２２】
画像選択指示受付部（画像受付部）３１０１は、複合機１の表示部５０の表示画面のカスタマイズ時に、当該表示画面に表示させる操作用画像を選択する画像選択指示を作業者から受け付ける。画像選択指示受付部３１０１は、当該表示画面内にユーザーからの指示を受け付けるために表示させる例えば操作ボタン、アイコン、文字列等の操作用画像の選択を、操作部３１３（マウス又はキーボード等）を介して作業者から受け付ける。作業者が選択可能な複数の操作用画像の画像データは、操作用画像記憶部３１０７が記憶している。例えば、作業者により操作部３１３を介してアプリケーション生成部３１００の起動指示が受け付けられると、画像選択指示受付部３１０１は、表示部３１５にカスタマイズ受付画面を表示させる。このカスタマイズ受付画面には、作業者による選択候補としての上記操作用画像が表示され、当該表示中の操作用画像から作業者所望の操作用画像が操作部の操作で作業者により指定されると、画像選択指示受付部３１０１が、当該指定された操作用画像の選択を受け付ける。
【００２３】
ジョブ情報取得部３１０２は、複合機１との通信により、当該複合機１で実行されたジョブ及び当該ジョブに用いられた設定値を含むジョブ情報を、実行されたジョブ毎に複合機１から取得する。ジョブ情報取得部３１０２は、複合機１から、ＬＡＮ（Local Area Network）又はUSBメモリー等を介して、当該複合機１から上記ジョブ情報を取得する。取得された単数又は複数のジョブ情報は、下記ジョブ情報受付部３１０３での選択受付が可能となるようにジョブ情報記憶部３１０８に記憶される。
【００２４】
複合機１は、ジョブに用いられた設定値を当該ジョブに関連付けて、当該ジョブと共にジョブ情報として記憶部１２等に記憶しておき、通信部１５４から、ＰＣ３に対して当該ジョブ情報を送信することが可能とされている。
【００２５】
ジョブ情報受付部３１０３は、画像選択指示受付部３１０１で受け付けられた画像選択指示が示す操作用画像に対して関連付けるジョブ情報を選択する選択指示を、操作部３１３を介して作業者から受け付ける。
【００２６】
表示対象パーツ構築部（関連付部）３１０４は、画像選択指示受付部３１０１で受け付けられた画像選択指示が示す操作用画像に、ジョブ情報受付部３１０３によって選択が受け付けられたジョブ情報を関連付けてなる表示対象パーツを構築する。すなわち、表示対象パーツ構築部３１０４は、操作用画像に対して、これに対応する複合機１の動作の関連付けを行って表示対象パーツとして作成する。
【００２７】
例えば、表示対象パーツ構築部３１０４は、操作用画像に対して、「スキャン動作」機能を実行するジョブ及び当該ジョブに用いられる設定値（解像度、読取データの保存先等）を関連付けて表示対象パーツを構築する。
【００２８】
レイアウト指示受付部３１０５は、画像選択指示受付部３１０１で受け付けられた操作用画像（表示対象パーツ構築部３１０４により構築された表示対象パーツでもある）についての上記表示画面内での配置を指示するレイアウト指示を、作業者から操作部３１３を介して受け付ける。例えば、レイアウト指示受付部３１０５は、上記表示画面の背景画像のデータ（例えば、アプリケーション生成部３１００が記憶している）を用いて、表示部３１５に当該表示画面の背景画像を擬似的に表示させ、当該背景画像中における任意の箇所が作業者により操作部３１３を用いて指定されると、当該指定された箇所を上記操作用画像の配置箇所として受け付ける。
【００２９】
動作制御アプリケーション生成部３１０６は、表示対象パーツ構築部３１０４により構築された表示対象パーツと、レイアウト指示受付部３１０５で受け付けられたレイアウト指示とによって設定される内容からなる表示画面（複合機１の表示部５０に表示される表示画面）の表示画面データを例えばXML形式で生成し、当該表示画面データを備えた動作制御アプリケーションを生成する。すなわち、動作制御アプリケーション生成部３１０６は、複合機１の表示部５０に表示させる表示画面の背景画面画像に、上記レイアウト指示が示す当該背景画面画像上の位置に上記構築された表示対象パーツが配置された表示画面の表示画面データを生成する。動作制御アプリケーション生成部３１０６によって生成された動作制御アプリケーションは、一旦記憶部３１２に記憶される。本実施形態では、動作制御アプリケーション生成部３１０６は、XML形式でScriptファイルに表示画面データをエクスポートする。なお、本実施形態では、表示画面のデータファイルとしてXML形式のScriptファイルを使用するが、システム構成上は、XML形式以外でもよく、例えば、他のマークアップ言語であっても構わない。
【００３０】
操作用画像記憶部３１０７は、上記操作用画像を記憶している。また、ジョブ情報記憶部３１０８は、上述したように、上記ジョブ情報取得部３１０２によって複合機１から取得されたジョブ情報を記憶している。
【００３１】
すなわち、作業者は、画像選択指示受付部３１０１での操作用画像の選択と、ジョブ情報受付部３１０３でのジョブ情報の選択と、レイアウト指示受付部３１０５での上記レイアウト指示とを行うと、動作制御アプリケーション生成部３１０６による動作制御アプリケーション生成処理により、複合機１の表示部５０に表示させる表示画面を、所望の表示対象パーツが所望の位置に配置されるようにカスタマイズして作成することができる。
【００３２】
記憶部３１２は、ＨＤＤ等からなり、当該ＰＣ３において表示画面生成を行うための動作制御アプリケーション生成プログラムがインストールされている。また、記憶部３１２には、上記動作制御アプリケーション生成部３１０６によって生成された動作制御アプリケーション等が記憶される。
【００３３】
操作部３１３は、マウスポインタ又はキーボード等からなり、作業者による操作で当該作業者からの各種指示を受け付けるものである。
【００３４】
通信部３１１は、ネットワークを介して複合機１との間でデータ入出力を行うインタフェースである。例えば、通信部３１１は、例えばジョブ情報取得部３１０２による指示の下、ジョブ情報の送信要求を複合機１に対して送信すると共に、記憶部３１２に記憶されている上記生成された動作制御アプリケーションを複合機１に出力する。
【００３５】
表示部３１５は、ＬＣＤ（Liquid Crystal Display）等からなり、制御部３１０による表示制御により各種の画像を表示する。
【００３６】
パネルシュミレータ部３１４は、アプリケーション生成部３１００によってエクスポートされた上記Scriptファイルでなる表示画面データの内容を解析し、表示部３１５での表示を可能にするために当該表示画面データをHTML形式のデータに変換するツールである。
【００３７】
複合機１は、コントローラ（制御部）１１と、記憶部１２と、プラットフォーム１３と、制御ユニット（Web container ）２００に備えられた拡張アプリケーション１５と、ウェブブラウザ１６と、表示部５０とを有している。
【００３８】
複合機１の拡張アプリケーション１５は、主にScript Interpreter １５１と、Business Logic１５２とで構成される。
【００３９】
通信部１５４は、ＰＣ３との間で例えばＬＡＮ等を介して各種データ、例えば、上記のジョブ情報を示すデータ、及び動作制御アプリケーションの通信を行うインターフェースである。なお、通信部１５４は、USBメモリーンタフェースを備え、USBメモリーを介して、ＰＣ３から、動作制御アプリケーションを取得するようにしてもよい。
【００４０】
通信部１５４は、ＰＣ３の通信部３１１から受信した（或いは、上記外部メモリーから取得した）上記動作制御アプリケーションを記憶部１２に記憶させる。
【００４１】
ScriptInterpreter （解析部）１５１は、記憶部１２に記憶された動作制御アプリケーションに含まれる上記表示画面データであるScriptファイルのファイルを読み込んで内容を解析する。ScriptInterpreter １５１は、表示部５０に表示画面を表示するためのHTML変換処理と、表示画面内に配置された操作ボタン等の操作用画像に関連付けられたアクション（ジョブ情報が示すジョブ）を実行するためのBusiness Logic１５２への展開処理とを行う。ScriptInterpreter １５１は、上記表示用にHTML形式への変換処理を行ったデータを、Business Logic１５２に渡す。
【００４２】
BusinessLogic１５２は、ウェブブラウザ１６に、Script Interpreter １５１から受け取った上記HTML変換処理済みの表示用データを送信する。また、Business Logic１５２は、上記Script Interpreter １５１から得られた情報（操作用画像に関連付けられているジョブ情報）を基に、複合機１の動作を制御する。
【００４３】
すなわち、Business Logic１５２は、複合機１のウェブブラウザ１６により表示部５０に表示される表示画面に表示されている操作ボタン等の操作用画像がユーザーによりウェブブラウザ１６上で指定されると、いずれの操作用画像が指定されたかのパーツ指定指示を、ウェブブラウザ１６から取得し、Script Interpreter１５１から渡された情報（ScriptInterpreter１５１によるScriptファイルの解析で得られた情報）を基に、上記パーツ指定指示が示す操作用画像に設定されているジョブ情報の内容、すなわち、当該ジョブ情報を構成するジョブ及びその設定値を解析する。Business Logic１５２は、更に、解析したジョブを上記設定値で実行するために、当該解析したジョブに対応するAPIを呼び出す。当該解析したジョブに対応するAPIは、 Business Logic１５２からコントローラ１１に渡される。コントローラ１１は、当該当該解析したジョブに対応するAPIを実行する。
【００４４】
記憶部１２には、上記動作制御アプリケーション、コントローラ１１として動作させるための制御プログラム、拡張アプリケーション１５のプログラム、ウェブブラウザ１６のプログラム等が記憶されている。複合機１の中央制御部であるＣＰＵが、記憶部１２に記憶されている各プログラムに従って動作することで、上記のコントローラ１１、拡張アプリケーション１５、及びウェブブラウザ１６等として機能する。
【００４５】
当該複合機１は、コントローラ１１により、複合機１の各動作、例えば、コピー動作、スキャナ動作、ファクス動作、及びプリンタ動作が制御される。各動作についてのジョブが終了した後は、コントローラ１１が、記憶部１２に当該ジョブ（当該ジョブとして実行された機能を示す情報を含む）と、当該ジョブに用いられた設定値とを関連付け、当該関連付けられたジョブ及び設定値をジョブ情報として、各ジョブを実行する度に記憶部１２に記憶させる。通信部１５４は、ＰＣ３からジョブ情報の送信要求を受信すると、コントローラ１１が、記憶部１２に記憶されている各ジョブ情報を記憶部１２から読み出し、この送信要求を送信してきたＰＣ３に対して、当該読み出したジョブ情報を通信部１５４から送信する。
【００４６】
図２は、ＰＣ３による動作制御アプリケーション作成時の処理を示す図である。図３はＰＣ３及び複合機１についてのシーケンス図、図４及び図５は表示部３１５の表示画面の一例である。
【００４７】
作業者は、例えば、ＰＣ３の操作部３１３を操作して表示画面作成指示を入力する。当該作業者による表示画面作成指示の入力が制御部３１０に受け付けられると、制御部３１０は、記憶部３１２に記憶されている動作制御アプリケーション生成プログラムに基づいて、動作制御アプリケーション生成処理を開始させる（Ｓ１）。
【００４８】
そして、ジョブ情報取得部３１０２は、複合機１に、当該複合機１で保有しているジョブ及び当該ジョブに過去に用いられて記憶されている設定値を含むジョブ情報の送信要求を、通信部３１１によりＬＡＮ等を介して送信する（図３:リモートアクセス）。このジョブ情報送信要求は、複合機１の記憶部１２に記憶されている各ジョブ情報をＰＣ３に送信することを、当該複合機１に求めるものである。複合機１では、その通信部１５４が当該ＰＣ３からのジョブ情報の送信要求を受信すると（図３:情報取得インターフェース）、コントローラ１１が記憶部１２から各ジョブ情報を読み出す（図３:UIジョブ設定からの情報取得）。通信部１５４は、当該読み出された各ジョブ情報をＰＣ３に対して送信する。ＰＣ３のジョブ情報取得部３１０２は、複合機１から送信されてくる当該各ジョブ情報を受信する（Ｓ２）。これにより、ジョブ情報取得部３１０２は、複合機１で実行された各ジョブについてのジョブ情報を各ジョブ毎に取得する。ジョブ情報取得部３１０２により取得された当該ジョブ情報は記憶部３１２に記憶される。
【００４９】
続いて、制御部３１０は、例えば、図４に例を示すような、カスタマイズ受付画面５４を表示部３１５に表示させる（Ｓ３，図３「カスタマイズ画面」）。制御部３１０は、このカスタマイズ受付画面５４として、ツールボックス領域Ｄ０に、操作用画像記憶部３１０７に記憶されている操作用画像の一覧を有する画面を表示部３１５に表示させる。
【００５０】
例えば、カスタマイズ受付画面５４の「設定コントロール」表示部分Ｄ１を、作業者がマウスポインタ等でなる操作部３１３を左クリックで指定する操作等に基づいて、当該表示部分Ｄ１に表示されている画像名が示す操作用画像を選択する指示を制御部３１０が受け付けると（Ｓ４）、制御部３１０は、図４に示すように、カスタマイズ受付画面５４の一部をなす表示領域Ｄ２内に、当該指定された操作用画像を表示する。
【００５１】
そして、制御部３１０は、図５に例を示すようなジョブ情報リスト画面５５として、ジョブ情報記憶部３１０８に記憶されているジョブ情報の一覧を有する画面を表示部３１５に表示させる。例えば、制御部３１０は、既に表示しているカスタマイズ受付画面５４の上にジョブ情報リスト画面５５を重ねて表示させる。
【００５２】
このジョブ情報リスト画面５５の表示部３１５での表示中に、作業者による操作部３１３の操作等により、当該ジョブ情報リスト画面５５において所望のジョブ情報の名称が表示されている表示部分Ｄ３が指定されることにより作業者所望のジョブ情報が選択されると、当該表示部分Ｄ３に表示されているジョブ情報を選択する選択指示がジョブ情報受付部３１０３に受け付けられる（Ｓ５）。制御部３１０は、このとき、上記選択されたジョブ情報の名称を領域Ｄ２における操作用画像上に重ねて表示してもよい。
【００５３】
なお、当該ジョブ情報の選択時に、作業者による操作部３１３の操作に基づいて、当該選択されたジョブ情報に含まれるジョブの設定値を変更する指示を、設定値変更受付部３１０９が受け付けるようにしてもよい。この場合、例えば、ジョブ情報リスト画面５５の表示時に、作業者による操作部３１３の操作に基づいて作業者所望のジョブ情報が選択されたとき、制御部３１０は、更に、図６に示すような設定値変更画面５６を表示部３１５に表示させ、当該設定値変更画面５６の表示に従った作業者によるマウス等による設定値変更操作により、設定値の変更を受け付ける。
【００５４】
例えば、制御部３１０は、上記選択されたジョブ情報が示す設定値を各項目別に、デフォルト値として、設定値変更画面５６内の項目表示欄５６１〜５６６に表示させる。この状態で、例えば、作業者が操作部３１３を操作して、項目表示欄５６１〜５６６の矢印キー５６０Ａ，５６０Ｂを押下することで、各項目を示す数値を変更する変更指示が操作部３１３に受け付けられる。例えば、作業者が上向きの矢印キー５６０Ａを押下すると、数値（レベル）を1段階大きくする設定値変更指示が設定値変更受付部３１０９に受け付けられ、ユーザーが下向きの矢印キー５６０Ｂを押下すると、数値（レベル）を1段階小さくする設定値変更指示が設定値変更受付部３１０９に受け付けられる。これら設定項目変更指示は、作業者による操作部３１３の操作に基づいて、各項目別に設定値変更受付部３１０９（図１に２点鎖線で図示）に受け付けられる。制御部３１０は、設定値変更受付部３１０９に受け付けられた設定項目変更指示が示す変更後の各項目の値を新たな設定値として、ジョブ情報に含まれる従前の設定値に上書きして記憶部３１２に記憶させる。
【００５５】
上記ジョブ情報の選択受付後は、表示対象パーツ構築部３１０４が、当該選択されたジョブ情報を上記選択された操作用画像に関連付けて、表示対象パーツを作成する（Ｓ６）。なお、上記のように、ジョブ情報に含まれる設定値が新たな設定値に上書きされた場合は、上書きされた新たな設定値が当該ジョブ情報に含まれる設定値となる。例えば、表示対象パーツ構築部３１０４は、図３に示すように、操作用画像と当該ジョブ情報（ジョブ情報を特定するための情報（ID等））との紐付けと、UI（インターフェース）ジョブ設定による操作用画像と、当該ジョブ情報のジョブが示す機能を当該設定値で実行するためのプログラムとの紐付けとを行う。
【００５６】
さらに、作業者が、マウスポインタ等でなる操作部３１３のドラッグ＆ドロップ操作により、領域Ｄ２に表示されている操作用画像を移動させて当該領域Ｄ２内における操作用画像の表示位置を変更すると、当該操作により変更された操作用画像の領域Ｄ２内における位置が表示画面内における操作用画像の位置を示すレイアウト指示として、当該レイアウト指示がレイアウト指示受付部３１０５に受け付けられる（Ｓ７）。
【００５７】
なお、上記Ｐ３乃至Ｐ７の処理は、作業者が、ＰＣ３において、カスタマイズ受付画面５４内の終了ボタン（図略）をマウス等によりクリックし、作業者からの動作制御アプリケーション生成終了指示が入力されるまで、複数の表示対象パーツ生成のために繰り返される（Ｓ８でＮＯ，Ｓ３に戻りＳ３乃至Ｓ８の処理を繰り返す）。
【００５８】
作業者から上記動作制御アプリケーション生成終了指示が入力されて制御部３１０に受け付けられると（Ｓ８でＹＥＳ）、この時点で生成されている各表示対象パーツと、各表示対象パーツについてのレイアウト指示に従って、動作制御アプリケーション生成部３１０６が動作制御アプリケーションを生成する（Ｓ９）。この後、上記生成された動作制御アプリケーションは記憶部３１２に記憶される。すなわち、図３のシーケンスに沿っていえば、動作制御アプリケーション生成部３１０６は、UI部品、ソースコード、及びライブラリ等のアプリケーション構築に必要となるリソースを用いて、上記生成された表示対象パーツを備えた表示画面データ（複合機１の表示部５０に表示させる表示画面用）を同梱して動作制御アプリケーションを構築し、複合機１にインストール可能な形式にする（Packager）。
【００５９】
当該一連の処理によれば、作業者は、複合機１で実行されたジョブを過去に用いられた設定値で実行する指示の受付等を担当する操作用画像をＰＣ３において作成するとき、当該ＰＣ３側においては、上記ジョブとして実行された機能やその設定値を入力する作業を行わなくても、複合機１に既に蓄積されているジョブ情報を用いて、操作用画像に当該ジョブ及びその設定値を関連付けて表示画面の表示画面データを作成することができる。このため、作業者は、操作用画像とジョブ及びその設定値との関連付けを簡単に行え、所望通りにカスタマイズした表示画面の生成を簡単な操作で行える。
【００６０】
なお、上記動作制御アプリケーション生成部３１０６による動作制御アプリケーションの生成後、作業者による操作部３１３の操作により、複合機１に上記生成された動作制御アプリケーションを送信する指示が当該操作部３１３に受け付けられると、通信部３１１が、当該生成された動作制御アプリケーションを複合機１にネットワークを介して送信する。
【００６１】
複合機１において、上記生成された動作制御アプリケーションが通信部１５４により受信されると、コントローラ１１により当該動作制御アプリケーションは記憶部１２に記憶（インストール）される。
【００６２】
また、生成された上記動作制御アプリケーションのＰＣ３から複合機１への移行は、作業者がUSBメモリー等の運搬可能な記憶媒体に動作制御アプリケーションを記憶させ、当該USBメモリーを複合機１の通信部１５４に読み取らせることによって行うことも可能である。この場合も、コントローラ１１により当該動作制御アプリケーションは記憶部１２に記憶（インストール）される。
【００６３】
次に、複合機１における上記生成された動作制御アプリケーションに基づく表示画面の表示部５０での表示処理、ユーザーからの動作実行指示の受付処理、及び複合機１の動作制御を説明する。図７は、複合機１における上記生成された動作制御アプリケーションに基づく表示画面の表示部５０での表示処理、ユーザーからの動作実行指示の受付処理、及び複合機１の動作制御を示すフローチャートである。図８は複合機１についてのシーケンス図である。
【００６４】
上述したように、複合機１の記憶部１２には、ＰＣ３１から通信部１５４により取得された上記動作制御アプリケーションが記憶（インストール）されている。
【００６５】
ここで、ユーザーによる複合機１の操作部５００の操作等により、表示部５０に表示画面を表示させる必要が生じると、Script Interpreter １５１が、記憶部１２に記憶されている動作制御アプリケーションが含む表示画面の表示画面データ（Scriptファイル）を読み出す（Ｓ２１）。
【００６６】
ScriptInterpreter １５１は、当該読み出した表示画面データを解析し、表示部５０に表示画面を表示するためのHTML変換処理と、表示画面内に配置された操作用画像に関連付けられたジョブ情報に含まれるジョブを実行可能とするためにBusiness Logic１５２への展開処理とを行う（Ｓ２２）。
【００６７】
続いて、Business Logic１５２は、Script Interpreter １５１から得た上記HTML変換処理後のデータを表示部５０での表示が可能となるように解析し、ウェブブラウザ１６に渡す（Ｓ２３）。ウェブブラウザ１６は、当該受け取った表示画面データを表示部５０に表示させる（Ｓ２４）。Ｓ２３及びＳ２４は、図８では、Boundaryの「操作部」から動作制御アプリケーションの「アプリ画面」のシーケンスに対応する。
【００６８】
このウェブブラウザ１６による上記表示画面の表示中に、ユーザーによるタッチパネル機能を利用した操作等で、表示部５０に表示されている表示画面のいずれかの表示ボタン（操作用画像）が押下されると（Ｓ２５でＹＥＳ）、当該押下された表示ボタン（操作用画像）を示す画像指定指示が、ウェブブラウザ１６から、拡張アプリケーション１５のBusiness Logic１５２に送られる（図８における動作制御アプリケーションの「アプリ画面」から「プログラム」のシーケンスに対応）。なお、上記ウェブブラウザ１６による表示画面の表示中に、ユーザーによる上記表示ボタン押下が行われない場合は、ウェブブラウザ１６は、当該表示画面を表示部５０に表示した状態で、ユーザーによる上記表示ボタン押下を待機する（Ｓ２５でＮＯ，Ｓ２４）。
【００６９】
BusinessLogic１５２は、上記画像指定指示を受信すると当該動作制御アプリケーションに含まれるUIジョブ設定に基づいて、この画像指定指示の示す操作用画像に関連付けられて記憶されているジョブ情報、すなわち、当該ジョブ情報に含まれるジョブ及びその設定値を特定する（Ｓ２６）。Ｓ２６は、図８における動作制御アプリケーションの「プログラム」から「UIジョブ設定」のシーケンスに対応する。
【００７０】
続いて、Business Logic１５２は、上記解析した設定値を用いて上記ジョブを実行するために、当該設定値を用いたジョブに対応するAPIを特定し、当該APIを示すAPI情報をコントローラ１１に渡す（Ｓ２７）。コントローラ１１は、当該受け取ったAPI情報に従って、プログラム設定から対応するAPIを読み出し、この読み出したAPIを実行することで、当該各ジョブを実行する（Ｓ２８）。Ｓ２６及びＳ２７は、図８における動作制御アプリケーションの「プログラム」からControlの「ジョブコントローラー」及びEntityの「ジョブ情報」のシーケンスに対応する。
【００７１】
例えば、上記ジョブ及びその設定値が、スキャン動作を解像度400dpiで行って、読取データ保存先クライアントコンピュータ（IPアドレス250.250.00）に保存することを示す場合、コントローラ１１は、当該設定値でのスキャン動作及びデータ保存動作を行うためのプログラム（例えばAPI）を読み出して、当該プログラムを実行する。
【００７２】
このようにして、複合機１では、ＰＣ３で生成された上記動作制御アプリケーションに基づいた動作制御が行われる。なお、上記ジョブ情報は、ジョブ（実行される機能）及び当該ジョブに用いられた設定値を含むため、ＰＣ３で生成された動作制御アプリケーションを複合機に記憶させたとき、当該複合機は、自身が動作可能な機能についてのジョブであるかを判断可能である。
【００７３】
なお、本発明は上記実施の形態の構成に限られず種々の変形が可能である。図１乃至図８に示した構成及び処理は、本発明の実施形態の例示に過ぎず、本発明を上記実施形態に限定する趣旨ではない。また、上記実施形態で示した複合機１は、本発明に係る電子機器の一例に過ぎず、本発明に係る電子機器は、複合機１及び画像形成装置以外に、他の電子機器であっても構わない。
【符号の説明】
【００７４】
１        複合機
１０      動作制御アプリケーション生成システム
３１０    制御部
３１００  アプリケーション生成部
３１０１  画像選択指示受付部
３１０２  ジョブ情報取得部
３１０３  ジョブ情報受付部
３１０４  表示対象パーツ構築部
３１０５  レイアウト指示受付部
３１０６  動作制御アプリケーション生成部
３１０７  操作用画像記憶部
３１０８  ジョブ情報記憶部
３１０９  設定値変更受付部
３１１    通信部
３１２    記憶部
３１３    操作部
３１５    表示部
５４      カスタマイズ受付画面
５５      ジョブ情報リスト画面
５６      設定値変更画面
【図１】
2013030117.tif 000003
【図２】
2013030117.tif 000004
【図３】
2013030117.tif 000005
【図４】
2013030117.tif 000006
【図５】
2013030117.tif 000007
【図６】
2013030117.tif 000008
【図７】
2013030117.tif 000009
【図８】
2013030117.tif 000010